(57)【要約】【課題】より簡単にフレキシブルフラットケーブルを所望の折り曲げ角度にて折り曲げることができる車両用表示装置を提供する。【解決手段】ヘッドアップディスプレイ装置は、Ｚ１方向に沿って延びる第１被接続部１６を有する表示器１１と、Ｚ２方向に沿って延びる第２被接続部７２を有する制御回路基板７０と、第１被接続部１６に接続される第１コネクタ８１、及び第２被接続部７２に接続される第２コネクタ８２を有するフレキシブルフラットケーブル８０と、第１被接続部１６と第２被接続部７２の間に位置する折り曲げ板部６６と、を備える。フレキシブルフラットケーブル８０は、折り曲げ板部６６における第１被接続部１６に対向する第１面、先端に位置する第１先端部６６ａ、及び第２被接続部７２に対向する第２面に沿うとともに、第１コネクタ８１が第１被接続部１６に沿い、かつ第２コネクタ８２が第２被接続部７２に沿うように折り曲げられている。【選択図】図６
2019171892.tif 000002
【特許請求の範囲】
【請求項１】
第１方向に沿って延びる第１被接続部を有し、表示光を出射する表示器と、
前記第１方向と異なる第２方向に沿って延びる第２被接続部を有し、前記表示器を制御する制御回路基板と、
前記表示器及び前記制御回路基板が装着される筐体と、
前記第１被接続部に接続される第１コネクタ、及び前記第２被接続部に接続される第２コネクタを有し、前記表示器及び前記制御回路基板の間を電気的に接続するフレキシブルフラットケーブルと、
前記第１被接続部と前記第２被接続部の間に位置し、前記フレキシブルフラットケーブルに交わる方向に延びる折り曲げ板部と、を備え、
前記フレキシブルフラットケーブルは、
前記折り曲げ板部における前記第１被接続部に対向する第１面、前記折り曲げ板部の先端部、及び前記折り曲げ板部における前記第２被接続部に対向する第２面に沿うとともに、前記第１コネクタが前記第１被接続部に沿い、かつ前記第２コネクタが前記第２被接続部に沿うように折り曲げられている、
車両用表示装置。
【請求項２】
前記折り曲げ板部は、
前記フレキシブルフラットケーブルが折り曲げられる折り曲げ線に沿う第１先端部と、
前記第１先端部よりも前記表示器の前記筐体への組み付け方向の反対方向に前記第１先端部と隣接して位置し、前記第１先端部から離れるにつれて前記フレキシブルフラットケーブルの前記折り曲げ線から遠ざかるように傾斜する第２先端部と、を備える、
請求項１に記載の車両用表示装置。
【請求項３】
前記折り曲げ板部における、前記第１面及び前記第２面の少なくとも何れか一方に位置し、前記フレキシブルフラットケーブルの側面に当接する位置規制部を備える、
請求項１又は２に記載の車両用表示装置。
【発明の詳細な説明】
【技術分野】
【０００１】
本発明は、車両用表示装置に関する。
【背景技術】
【０００２】
従来から、車両用表示装置の一例として、実景に重畳するように虚像を表示するヘッドアップディスプレイ装置が知られている。例えば、特許文献１に記載のヘッドアップディスプレイ装置は、虚像を表す表示光を出射する表示器と、制御ＩＣ(Integrated Circuit)等が実装される回路基板と、表示器及び回路基板の間を電気的に接続するフレキシブルフラットケーブルと、を備える。
【先行技術文献】
【特許文献】
【０００３】
【特許文献１】特開２０１５−６４３９６号公報
【発明の概要】
【発明が解決しようとする課題】
【０００４】
上記フレキシブルフラットケーブルの第１コネクタは表示器に設けられる第１被接続部に挿入され、上記フレキシブルフラットケーブルの第２コネクタは回路基板に設けられる第２被接続部に挿入される。例えば、第１被接続部と第２被接続部がそれぞれ異なる方向を向いている場合には、フレキシブルフラットケーブルを折り畳むことにより、フレキシブルフラットケーブルの第１コネクタを第１被接続部の向きに合わせ、フレキシブルフラットケーブルの第２コネクタを第２被接続部の向きに合わせる必要があった。このフレキシブルフラットケーブルを折り畳む作業により、ヘッドアップディスプレイ装置の組み立て工程が増えて、手間であった。
【０００５】
本発明は、上記実状を鑑みてなされたものであり、より簡単にフレキシブルフラットケーブルを所望の折り曲げ角度にて折り曲げることができる車両用表示装置を提供することを目的とする。
【課題を解決するための手段】
【０００６】
上記目的を達成するため、本発明に係る車両用表示装置は、第１方向に沿って延びる第１被接続部を有し、表示光を出射する表示器と、前記第１方向と異なる第２方向に沿って延びる第２被接続部を有し、前記表示器を制御する制御回路基板と、前記表示器及び前記制御回路基板が装着される筐体と、前記第１被接続部に接続される第１コネクタ、及び前記第２被接続部に接続される第２コネクタを有し、前記表示器及び前記制御回路基板の間を電気的に接続するフレキシブルフラットケーブルと、前記第１被接続部と前記第２被接続部の間に位置し、前記フレキシブルフラットケーブルに交わる方向に延びる折り曲げ板部と、を備え、前記フレキシブルフラットケーブルは、前記折り曲げ板部における前記第１被接続部に対向する第１面、前記折り曲げ板部の先端部、及び前記折り曲げ板部における前記第２被接続部に対向する第２面に沿うとともに、前記第１コネクタが前記第１被接続部に沿い、かつ前記第２コネクタが前記第２被接続部に沿うように折り曲げられている。
【発明の効果】
【０００７】
本発明によれば、車両用表示装置において、より簡単にフレキシブルフラットケーブルを所望の折り曲げ角度にて折り曲げることができる。
【図面の簡単な説明】
【０００８】
【図１】本発明の一実施形態に係るヘッドアップディスプレイ装置が搭載された車両の模式図である。
【図２】本発明の一実施形態に係るヘッドアップディスプレイ装置の構成を示す概略図である。
【図３】本発明の一実施形態に係る下ケース及び基板カバーの斜視図である。
【図４】本発明の一実施形態に係る表示器ユニットの斜視図である。
【図５】本発明の一実施形態に係るフレキシブルフラットケーブル及び折り曲げ板部等の断面図である。
【図６】本発明の一実施形態に係るフレキシブルフラットケーブル、折り曲げ板部、制御回路基板及び中継基板等の斜視図である。
【図７】本発明の一実施形態に係る図６からフレキシブルフラットケーブルを省略した斜視図である。
【図８】本発明の一実施形態に係る表示器ユニットの下ケースへの組み付け時におけるフレキシブルフラットケーブル及び折り曲げ板部等の断面図である。
【図９】本発明の一実施形態に係る折り曲げられたフレキシブルフラットケーブルを示す概略図である。
【発明を実施するための形態】
【０００９】
本発明に係る車両用表示装置の一例であるヘッドアップディスプレイ装置の一実施形態について、図面を参照して説明する。
【００１０】
図１に示すように、ヘッドアップディスプレイ装置１００は、車両２００のダッシュボード内に設置される。ヘッドアップディスプレイ装置１００は、車両２００の投射部材の一例であるフロントガラス２０１に向けて像を表す表示光Ｌを出射する。表示光Ｌはフロントガラス２０１で反射して視認者１（主に車両２００の運転者）に到達する。これにより、ヘッドアップディスプレイ装置１００は、フロントガラス２０１を介して見える実景に重畳するように表示面Ａに虚像Ｖを表示する。
以下の説明では、車両２００の前後方向がＺ方向と規定され、車両２００の上下方向がＹ方向と規定され、車両２００の幅方向がＸ方向と規定される。
【００１１】
図２に示すように、ヘッドアップディスプレイ装置１００は、表示器ユニット１０と、折り返しミラー部材２０と、凹面鏡３０と、筐体６０と、図４及び図５に示すように、制御回路基板７０と、フレキシブルフラットケーブル８０，１８０と、を備える。
【００１２】
図２に示すように、折り返しミラー部材２０は、例えば平面鏡により構成され、表示器ユニット１０が出射した表示光Ｌを凹面鏡３０に向けて反射させる。
【００１３】
凹面鏡３０は、表示器ユニット１０から出射され、折り返しミラー部材２０で反射した表示光Ｌをフロントガラス２０１に向けて拡大させつつ反射させる。
【００１４】
図２に示すように、筐体６０は、非透光性樹脂材料又は金属材料で形成されるとともに、中空の略直方体をなす。筐体６０は、上ケース６１と、上ケース６１が装着される下ケース６５と、図３に示すように、下ケース６５に装着される基板カバー６４と、を備える。
【００１５】
図２に示すように、上ケース６１は、下ケース６５の蓋として機能し、長方形枠状に形成されている。上ケース６１には、フロントガラス２０１に対向する位置に開口部６１ａが形成されている。上ケース６１は、開口部６１ａを塞ぐ湾曲板状の窓部５０を備える。この窓部５０は、表示光Ｌが通過するアクリル等の透光性樹脂材料からなる。
【００１６】
下ケース６５は、上方に向けて開口した箱状をなす。下ケース６５内には凹面鏡３０と折り返しミラー部材２０が収容される。下ケース６５の上部には上ケース６１が装着される。
【００１７】
図３に示すように、下ケース６５の下面には、表示器ユニット１０と制御回路基板７０が装着される。詳しくは、下ケース６５には、表示器ユニット１０の出射面１０ａを筐体６０内に露出させるための出射孔６５ａが形成されている。出射孔６５ａは、表示器ユニット１０の出射面１０ａに応じた長方形状に形成され、制御回路基板７０に対して交わる方向に延びている。
【００１８】
また、下ケース６５には、制御回路基板７０を支持するための基板支持部６５ｂが形成されている。基板支持部６５ｂは、下ケース６５の外下面における出射孔６５ａとＸ方向に隣接する位置に設けられる。基板カバー６４は、基板支持部６５ｂに設置された制御回路基板７０を覆うように下ケース６５に装着される。
さらに、下ケース６５は折り曲げ板部６６及び位置規制部６７を有する。折り曲げ板部６６及び位置規制部６７については後で詳細に説明する。
【００１９】
図４に示すように、フレキシブルフラットケーブル８０，１８０は、電源線、信号線及びグランド線を含む複数本の電気線が束ねられた可撓性を有する帯状をなす。
図５及び図６に示すように、フレキシブルフラットケーブル８０は、制御回路基板７０と表示器ユニット１０の中継基板１５の間を電気的に接続する。すなわち、フレキシブルフラットケーブル８０は、中継基板１５の第１被接続部１６に挿入される第１コネクタ８１と、制御回路基板７０の第２被接続部７２に挿入される第２コネクタ８２と、を備える。
【００２０】
図４に示すように、フレキシブルフラットケーブル１８０は、表示器ユニット１０における図示しない光源及び液晶表示パネルと中継基板１５の間を電気的に接続する。フレキシブルフラットケーブル１８０は中継基板１５の第３被接続部１７に挿入されるコネクタ１８１を備える。
【００２１】
図６に示すように、制御回路基板７０は、硬質のプリント基板に制御ＩＣ等の各種電子部品が実装されてなる。制御回路基板７０は、フレキシブルフラットケーブル８０を介して表示器ユニット１０に接続され、表示器ユニット１０を制御する。
【００２２】
図３に示すように、制御回路基板７０は、下ケース６５の基板支持部６５ｂに設置された状態で図示しないねじにより固定される。図６に示すように、制御回路基板７０は、フレキシブルフラットケーブル８０の第２コネクタ８２が挿入される第２被接続部７２を備える。第２被接続部７２は、制御回路基板７０の両面のうち下ケース６５と対向しない外面に設けられる。制御回路基板７０は、Ｘ方向から見て中継基板１５と異なるＺ２方向に沿って延びる。また、第２被接続部７２は、Ｚ２方向に沿って延びる直方体をなす。
【００２３】
図４に示すように、表示器ユニット１０は、表示器１１及びヒートシンク１８を有する。表示器１１は、制御回路基板７０による制御のもと、像を表す表示光Ｌを出射する出射面１０ａを備える。
【００２４】
表示器１１は、図示しない光源及び液晶表示パネルに加えて、中継基板１５を備える。中継基板１５は、表示器１１の上面１０ｕにその上面１０ｕに沿うように設けられる。中継基板１５は、表示器１１の上面１０ｕにねじ１５ａにより固定される。中継基板１５は、Ｘ方向から見て制御回路基板７０と異なるＺ１方向に沿って延びる。中継基板１５は、フレキシブルフラットケーブル８０，１８０同士を中継することにより、表示器１１と制御回路基板７０を電気的に接続する。
【００２５】
図４に示すように、中継基板１５は、フレキシブルフラットケーブル８０の第１コネクタ８１が接続される第１被接続部１６と、フレキシブルフラットケーブル１８０のコネクタ１８１が接続される第３被接続部１７と、を備える。
第１被接続部１６及び第３被接続部１７は、中継基板１５の両面のうち表示器１１の上面１０ｕと対向しない上面に設けられる。第１被接続部１６は、中継基板１５の短手方向と一致するＺ１方向に沿って延びる直方体をなし、制御回路基板７０に近い位置に設けられる。第３被接続部１７は、中継基板１５の長手方向と一致するＸ方向に沿って延びる直方体をなし、中継基板１５のＸ方向の中央に位置する。
【００２６】
図４に示すように、ヒートシンク１８は、出射面１０ａを露出させた状態で表示器１１を囲む箱状をなす。ヒートシンク１８は、アルミニウム等の金属で構成され、表示器１１で発生する熱を外部へ放出する。
ヒートシンク１８は、フレキシブルフラットケーブル８０を折り曲げ可能にフレキシブルフラットケーブル８０を支持するケーブル支持部１８ａと、フレキシブルフラットケーブル８０をヒートシンク１８の外部へ案内するケーブル案内部１８ｂと、を備える。図８に示すように、ケーブル支持部１８ａは、表示器ユニット１０を下ケース６５に組み付ける際、下ケース６５の折り曲げ板部６６にてフレキシブルフラットケーブル８０が折り曲げられるようにフレキシブルフラットケーブル８０を下方から支持する。ケーブル支持部１８ａは、ヒートシンク１８における表示器１１を囲む複数の側壁のうち制御回路基板７０にＹ方向に対向する側壁１８ｓの上部に位置する。ケーブル支持部１８ａは、フレキシブルフラットケーブル８０との接触面積を確保するために、ヒートシンク１８の側壁１８ｓの上端から外側に向かって屈曲した断面略Ｌ字状をなす。
【００２７】
また、図４に示すように、ケーブル案内部１８ｂは、フレキシブルフラットケーブル８０の第２コネクタ８２を制御回路基板７０から離れる方向、すなわち組み立て作業者へ向かう方向に案内する。ケーブル案内部１８ｂは、ヒートシンク１８のケーブル支持部１８ａの外面にＬ字柱状に形成される。詳しくは、ケーブル案内部１８ｂは、Ｘ方向に延びケーブル支持部１８ａの外面に固定される短手柱部１８ｂ１と、短手柱部１８ｂ１の外側端部からＺ方向に延びる長手柱部１８ｂ２と、を備える。図５に示すように、フレキシブルフラットケーブル８０は、ヒートシンク１８内から外へケーブル支持部１８ａの上面に沿って延びたうえでケーブル案内部１８ｂ内を下方に向けて通過する。
【００２８】
次に、下ケース６５の折り曲げ板部６６及び位置規制部６７について説明する。
図６に示すように、折り曲げ板部６６は、フレキシブルフラットケーブル８０を所望の折り曲げ角度αで折り曲げるために機能する。図９に示すように、折り曲げ角度αは、フレキシブルフラットケーブル８０が折り曲げ線Ｌｂに沿って折り曲げられたときフレキシブルフラットケーブル８０の側面８０１，８０２がなす角度である。２つの側面８０１，８０２は、フレキシブルフラットケーブル８０の１つの側面が折り曲げ線Ｌｂを介して２つに分けられることにより形成される。折り曲げ線Ｌｂは、フレキシブルフラットケーブル８０の幅方向（短手方向）に対して折り曲げ角度αと同一の角度で延びる。よって、フレキシブルフラットケーブル８０は、折り曲げ板部６６により折り曲げ線Ｌｂに沿って折り曲げられることにより、所望の折り曲げ角度αで折り曲げられている。
【００２９】
図５に示すように、折り曲げ板部６６は、下ケース６５の下面から、表示器１１の側方、詳しくは制御回路基板７０と中継基板１５の間に向けて延びる。折り曲げ板部６６は、制御回路基板７０と中継基板１５に直交する方向、言い換えると、ＹＺ平面上に延びる板状をなす。
また、折り曲げ板部６６は、ヒートシンク１８内におけるＸ方向においてケーブル支持部１８ａと隣り合う位置に設けられる。フレキシブルフラットケーブル８０は、折り曲げ板部６６に沿ってＵ字状又はＶ字状に折り曲げられている。すなわち、フレキシブルフラットケーブル８０は、折り曲げ板部６６における中継基板１５に対向する第１面６６１、折り曲げ板部６６の第１先端部６６ａ、折り曲げ板部６６における制御回路基板７０に対向する第２面６６２に沿うように折り曲げられている。
【００３０】
図６及び図７に示すように、折り曲げ板部６６は、折り曲げ板部６６の下端部に連続して位置する第１先端部６６ａ及び第２先端部６６ｂを備える。
第１先端部６６ａは、フレキシブルフラットケーブル８０の折り曲げ角度αを調整するために設けられる。具体的には、図３及び図７に示すように、第１先端部６６ａは、第２先端部６６ｂよりも出射孔６５ａに近い位置に形成され、Ｚ３方向に沿って延びる。Ｚ３方向は、Ｘ方向から見て、第１コネクタ８１が沿うＺ１方向と第２コネクタ８２が沿うＺ２方向との間の角度に沿う。
つまり、第１先端部６６ａに沿って所望の折り曲げ角度αでフレキシブルフラットケーブル８０が折り曲げられていることにより、フレキシブルフラットケーブル８０の第１コネクタ８１を中継基板１５の第１被接続部１６に沿わせつつ、フレキシブルフラットケーブル８０の第２コネクタ８２を制御回路基板７０の第２被接続部７２に沿わせることができる。
【００３１】
第２先端部６６ｂは、Ｚ３方向において第１先端部６６ａから離れるにつれて、Ｙ方向において折り曲げ線Ｌｂから遠ざかるように傾斜している。第２先端部６６ｂは、表示器ユニット１０が下ケース６５に組み付けられる際、フレキシブルフラットケーブル８０の曲げの深さを徐々に大きくするように機能する。第２先端部６６ｂは、第１先端部６６ａに対して鈍角をなしている。第１先端部６６ａ及び第２先端部６６ｂは円弧状に連結されている。
【００３２】
図６及び図７に示すように、位置規制部６７は、折り曲げ板部６６により折り曲げられているフレキシブルフラットケーブル８０の位置を規制する。位置規制部６７は、折り曲げ板部６６の第２面６６２に設けられ、第１先端部６６ａにおける第２先端部６６ｂと反対側の端部に対応して位置する。位置規制部６７は、折り曲げ板部６６により折り曲げられたフレキシブルフラットケーブル８０の側面８０ｓに沿う板状をなし、この側面８０ｓに当接することによりフレキシブルフラットケーブル８０の位置を規制する。
【００３３】
次に、表示器ユニット１０を下ケース６５に組み付ける際の折り曲げ板部６６及びフレキシブルフラットケーブル８０の作用について説明する。表示器ユニット１０の組み付け前、下ケース６５の基板支持部６５ｂに制御回路基板７０が固定されている。また、図４に示すように、フレキシブルフラットケーブル１８０のコネクタ１８１は中継基板１５の第３被接続部１７に接続されている。さらに、フレキシブルフラットケーブル８０の第１コネクタ８１は中継基板１５の第１被接続部１６に接続され、第２コネクタ８２はどこにも接続されていない。そして、表示器１１から延びるフレキシブルフラットケーブル８０はケーブル案内部１８ｂに挿通される。組み付け前の表示器ユニット１０においては、図４の一点鎖線で示すように、フレキシブルフラットケーブル８０は第１被接続部１６からヒートシンク１８のケーブル支持部１８ａを通ってケーブル案内部１８ｂを通過する。
【００３４】
この状態で、表示器ユニット１０は、図３の組み付け方向Ｅに沿って、下ケース６５の出射孔６５ａに向けて組み付けられる。組み付け方向Ｅは、Ｚ方向において出射孔６５ａに近づくにつれてＹ方向の上側に向かうように傾斜している。表示器ユニット１０が組み付け方向Ｅに沿って下ケース６５に近づけられると、図７の一点鎖線で示すフレキシブルフラットケーブル８０は、第２先端部６６ｂに近づくようにフレキシブルフラットケーブル８０の幅方向と同一方向の組み付け方向Ｅに沿って移動する。そして、フレキシブルフラットケーブル８０の側面８０ｓが第２先端部６６ｂに当接する。第２先端部６６ｂがフレキシブルフラットケーブル８０の平面方向に対して傾斜している。よって、フレキシブルフラットケーブル８０が第２先端部６６ｂに当接した後、さらに、フレキシブルフラットケーブル８０が組み付け方向Ｅに沿って移動することにより、フレキシブルフラットケーブル８０が第２先端部６６ｂに沿って摺動する。このとき、図８に示すように、ケーブル支持部１８ａによりフレキシブルフラットケーブル８０が下方から支持された状態で、第２先端部６６ｂがフレキシブルフラットケーブル８０を折り曲げるように相対的に下方に移動する。これにより、フレキシブルフラットケーブル８０は、第２先端部６６ｂにより、折り曲げ線Ｌｂに沿って徐々に深く折り曲げられる。
【００３５】
さらに、表示器ユニット１０が組み付け方向Ｅに沿って下ケース６５に近づけられると、フレキシブルフラットケーブル８０の側面８０ｓは、第２先端部６６ｂから第１先端部６６ａに到達した後に位置規制部６７に接触する。このとき、図６に示すように、フレキシブルフラットケーブル８０は、上述のように所望の折り曲げ角度αで折り曲げられる。これにより、フレキシブルフラットケーブル８０の第１コネクタ８１を中継基板１５の第１被接続部１６に沿わせた状態を維持しつつ、フレキシブルフラットケーブル８０の第２コネクタ８２を制御回路基板７０の第２被接続部７２に沿わせることができる。このとき、第２コネクタ８２は作業者側に位置する。よって、作業者は、この第２コネクタ８２を第２被接続部７２に挿入し易い。以上で、表示器ユニット１０の組み付け時における折り曲げ板部６６及びフレキシブルフラットケーブル８０の作用の説明を終了する。
【００３６】
（効果）
以上、説明した一実施形態によれば、以下の効果を奏する。
【００３７】
（１）ヘッドアップディスプレイ装置１００は、第１方向に相当するＺ１方向に沿って延びる第１被接続部１６を有し、表示光Ｌを出射する表示器１１と、Ｚ１方向と異なる第２方向に相当するＺ２方向に沿って延びる第２被接続部７２を有し、表示器１１を制御する制御回路基板７０と、表示器１１及び制御回路基板７０が装着される筐体６０と、第１被接続部１６に接続される第１コネクタ８１、及び第２被接続部７２に接続される第２コネクタ８２を有し、表示器１１及び制御回路基板７０の間を電気的に接続するフレキシブルフラットケーブル８０と、筐体６０に設けられ、第１被接続部１６と第２被接続部７２の間に位置し、フレキシブルフラットケーブル８０に交わる方向に延びる折り曲げ板部６６と、を備える。フレキシブルフラットケーブル８０は、折り曲げ板部６６における第１被接続部１６に対向する第１面６６１、折り曲げ板部６６の先端に位置する第１先端部６６ａ、及び折り曲げ板部６６における第２被接続部７２に対向する第２面６６２に沿うように折り曲げられる。そして、折り曲げられたフレキシブルフラットケーブル８０において、第１コネクタ８１が第１被接続部１６に沿い、かつ第２コネクタ８２が第２被接続部７２に沿う。
この構成によれば、表示器１１を筐体６０に組み付ける際に、フレキシブルフラットケーブル８０は、折り曲げ板部６６により第１コネクタ８１が第１被接続部１６に沿い、かつ第２コネクタ８２が第２被接続部７２に沿うように折り曲げられる。よって、作業者等が第１コネクタ８１が第１被接続部１６に沿い、かつ第２コネクタ８２が第２被接続部７２に沿うようにフレキシブルフラットケーブル８０を折り畳む手間がない。よって、より簡単にフレキシブルフラットケーブル８０を所望の折り曲げ角度αにて折り曲げることができる。これにより、ヘッドアップディスプレイ装置１００の組み立て工程を減らすことができる。
また、上記構成では、折り曲げ板部６６により折り曲げられるのに必要なフレキシブルフラットケーブル８０の長さは、事前に作業者等によりフレキシブルフラットケーブル８０が折り畳まれる場合に比べて、短くて済む。よって、フレキシブルフラットケーブル８０の長さを短くすることができる。よって、筐体６０内において余分なフレキシブルフラットケーブル８０が弛むことが抑制され、弛んだフレキシブルフラットケーブル８０が部品間に挟み込まれることが抑制される。
【００３８】
（２）折り曲げ板部６６は、フレキシブルフラットケーブル８０が折り曲げられる折り曲げ線Ｌｂに沿う第１先端部６６ａと、第１先端部６６ａよりも表示器１１の筐体６０への組み付け方向Ｅの反対方向に第１先端部６６ａと隣接して位置し、第１先端部６６ａから離れるにつれてフレキシブルフラットケーブル８０の折り曲げ線Ｌｂから遠ざかるように傾斜する第２先端部６６ｂと、を備える。
この構成によれば、第１先端部６６ａにより、フレキシブルフラットケーブル８０を所望の折り曲げ角度α、すなわち第１コネクタ８１が第１被接続部１６に沿い、かつ第２コネクタ８２が第２被接続部７２に沿うような折り曲げ角度αで折り曲げることができる。また、表示器１１を組み付け方向Ｅに沿って筐体６０に組み付けられる際、フレキシブルフラットケーブル８０に対して傾斜する第２先端部６６ｂにより、フレキシブルフラットケーブル８０を徐々に深く折り曲げることができる。よって、より円滑にフレキシブルフラットケーブル８０を折り曲げることができる。
【００３９】
（３）ヘッドアップディスプレイ装置１００は、折り曲げ板部６６の第２面６６２に位置し、フレキシブルフラットケーブル８０の側面８０ｓに当接する位置規制部６７を備える。
この構成によれば、表示器１１の筐体６０への組み付け時に、位置規制部６７によりフレキシブルフラットケーブル８０の移動が規制される。よって、フレキシブルフラットケーブル８０が所望の折り曲げ角度αを超えて折り曲げられることが抑制される。
【００４０】
（変形例）
なお、上記実施形態は、これを適宜変更した以下の形態にて実施することができる。
【００４１】
上記実施形態においては、位置規制部６７は、折り曲げ板部６６の第２面６６２に設けられていたが、これに限らず、折り曲げ板部６６の第１面６６１に設けられていてもよい。位置規制部６７は、折り曲げ板部６６の第１面６６１及び第２面６６２の両方に設けられていてもよい。
【００４２】
上記実施形態においては、折り曲げ板部６６は、第１先端部６６ａ及び第２先端部６６ｂを備えていたが、第２先端部６６ｂを省略してもよい。また、位置規制部６７を省略してもよい。
【００４３】
上記実施形態においては、第１被接続部１６は中継基板１５に設けられていたが、中継基板１５以外に設けられていてもよい。例えば、第１被接続部１６は、表示器１１のケースに設けられていてもよい。
【００４４】
上記実施形態においては、折り曲げ板部６６は、下ケース６５の外下面に設けられていたが、これに限らず、ヒートシンク１８又は基板カバー６４に設けられていてもよい。この場合、表示器１１、制御回路基板７０及びフレキシブルフラットケーブル８０が予め下ケース６５に組み付けられる。この状態で、折り曲げ板部を有するヒートシンク１８又は基板カバー６４が下ケース６５に組み付けられることにより、フレキシブルフラットケーブル８０が所望の折り曲げ角度αで折り曲げられる。
【００４５】
上記実施形態においては、ヘッドアップディスプレイ装置１００は車両２００に搭載されていたが、車両２００以外の飛行機、船等の乗り物に搭載されてもよい。
さらに、上記実施形態においては、本発明に係る車両用表示装置はヘッドアップディスプレイ装置１００であったが、ヘッドアップディスプレイ装置１００に限らず、車両用計器であってもよい。車両用計器は、指針用モータ、液晶表示素子、有機ＥＬ（Electro-Luminescence）表示素子及びインジゲータ用光源のうち所定の組み合わせを有する表示器と、表示器を制御する制御回路基板と、表示器及び制御回路基板を電気的に接続するフレキシブルフラットケーブルと、表示器及び制御回路基板を収容する下ケースと、下ケースの内部に設けられる折り曲げ板部と、を備えていてもよい。
【符号の説明】
【００４６】
１０  表示器ユニット
１１  表示器
１５  中継基板
１６  第１被接続部
１７  第３被接続部
１８  ヒートシンク
１８ａ  ケーブル支持部
１８ｂ  ケーブル案内部
２０  折り返しミラー部材
３０  凹面鏡
６０  筐体
６１  上ケース
６４  基板カバー
６５  下ケース
６５ａ  出射孔
６５ｂ  基板支持部
６６  折り曲げ板部
６６ａ  第１先端部
６６ｂ  第２先端部
６６１  第１面
６６２  第２面
６７  位置規制部
７０  制御回路基板
７２  第２被接続部
８０，１８０  フレキシブルフラットケーブル
８０ｓ  側面
８１  第１コネクタ
８２  第２コネクタ
１００  ヘッドアップディスプレイ装置
２００  車両
２０１  フロントガラス
α  折り曲げ角度
Ｅ  組み付け方向
Ｌｂ  折り曲げ線
【図１】
2019171892.tif 000003
【図２】
2019171892.tif 000004
【図３】
2019171892.tif 000005
【図４】
2019171892.tif 000006
【図５】
2019171892.tif 000007
【図６】
2019171892.tif 000008
【図７】
2019171892.tif 000009
【図８】
2019171892.tif 000010
【図９】
2019171892.tif 000011